(57)【要約】【課題】下顎等の顔面を押圧する力を軽減することにより、上顎のより効果的な牽引による短期間での治療を可能とし、また、下顎の前方成長の阻害を抑制することができる上顎牽引装置を提供すること。【解決手段】口腔内の上顎に固定される、インナーフックを具備する口腔内装着装置と、後頭部側及び顔面側からの押圧により顔面に固定される、アウターフックを具備するフェイスマスクと、インナーフック及びアウターフックに張設される上顎牽引弾性部材とを備えた上顎牽引装置本体２０と、上顎牽引装置本体２０のフェイスマスクを前方に牽引する上顎牽引補助装置３０とを備えた上顎牽引装置１０である。【選択図】図１
2018143445.tif 000002
【特許請求の範囲】
【請求項１】
口腔内の上顎に固定される、インナーフックを具備する口腔内装着装置と、後頭部側及び顔面側からの押圧により顔面に固定される、アウターフックを具備するフェイスマスクと、インナーフック及びアウターフックに張設される上顎牽引弾性部材とを備えた上顎牽引装置本体と、
該上顎牽引装置本体のフェイスマスクを前方に牽引する上顎牽引補助装置と、
を備えたことを特徴とする上顎牽引装置。
【請求項２】
フェイスマスクの顔面を押圧する顔面押圧部の少なくとも１つが、下顎押圧部であることを特徴とする請求項１記載の上顎牽引装置。
【請求項３】
フェイスマスクが、顔面押圧部を２以上有することを特徴とする請求項２記載の上顎牽引装置。
【請求項４】
上顎牽引補助装置が、頭顔部を包囲する枠体と、該枠体及びフェイスマスクを後部で固定する固定部材と、前記枠体及びフェイスマスクに張設されるマスク牽引弾性部材とを備えたことを特徴とする請求項１〜３のいずれか記載の上顎牽引装置。
【請求項５】
枠体が球状であることを特徴とする請求項４記載の上顎牽引装置。
【請求項６】
マスク牽引弾性部材が、Ｘ状のバンドであることを特徴とする請求項４又は５記載の上顎牽引装置。
【請求項７】
口腔内の上顎に固定される、インナーフックを具備する口腔内装着装置と、後頭部側及び顔面側からの押圧により顔面に固定される、アウターフックを具備するフェイスマスクと、インナーフック及びアウターフックに張設される上顎牽引弾性部材とを備えた上顎牽引装置本体におけるフェイスマスクを前方に牽引するための上顎牽引補助装置。
【請求項８】
頭顔部を包囲する枠体と、該枠体及びフェイスマスクを後部で固定する固定部材と、前記枠体及びフェイスマスクに張設されるマスク牽引弾性部材とを備えたことを特徴とする請求項７記載の上顎牽引補助装置。
【請求項９】
枠体が球状であることを特徴とする請求項８記載の上顎牽引補助装置。
【請求項１０】
マスク牽引弾性部材が、Ｘ状のバンドであることを特徴とする請求項８又は９記載の上顎牽引補助装置。
【発明の詳細な説明】
【技術分野】
【０００１】
本発明は、不正咬合矯正治療に用いる上顎牽引装置に関する。
【背景技術】
【０００２】
不正咬合の一つに下顎前突（反対咬合、受け口ともいう。）がある。これは、上顎に対し下顎の成長が強く、反対に下顎の成長に対し上顎の成長が弱いことに起因する。この症状を改善するため、成長期の上顎が未成熟な子供に対して使用する上顎牽引装置（上顎前方牽引装置、プロトラクターともいう。）が知られている。
【０００３】
従来の上顎牽引装置には、ホーン付チンキャップタイプ、フェイスマスクタイプ、ボウタイプなどがある。これらの多くは、額部及び下顎部（オトガイ、チン）を固定源として、上顎に取り付けられた口腔内装着装置を牽引ゴムにて前方に引くことにより、上顎の前方への発育を促すものである。
【０００４】
この従来の上顎牽引装置は、弱く長期間牽引するもの（１年から１年半程度のもの）と、強く短期間牽引するもの（２〜３ヶ月程度のもの）とがあり、弱く長時間牽引するものは痛みを起こしにくい反面、効果量が少ないという問題があった。一方、強く短期間牽引するものは、牽引する力が強く、このために、その反作用を受ける固定源である下顎の成長が抑制・後退されるおそれがあった。また、固定源である額部や下顎部を傷付けてしまう等、使用者にとっても苦痛を伴うものであった。
【０００５】
現在、様々な上顎牽引装置が提案されている（例えば、特許文献１参照）。
【先行技術文献】
【特許文献】
【０００６】
【特許文献１】国際公開第２０１４／０９７３７４号
【発明の概要】
【発明が解決しようとする課題】
【０００７】
本発明は、上述した事情に鑑みてなされたものであり、本発明の課題は、下顎等の顔面を押圧する力を軽減することにより、上顎のより効果的な牽引による短期間での治療を可能とし、また、下顎の前方成長の阻害を抑制することができる上顎牽引装置を提供することにある。
【課題を解決するための手段】
【０００８】
本発明者は、上記課題を改善するべく鋭意研究した結果、上顎牽引装置本体のフェイスマスクを前方に牽引する上顎牽引補助装置を用いることにより、上顎牽引時に下顎や額等にかかる負担を軽減でき、これにより、上顎のより効果的な牽引による短期間での治療が可能となることを見いだした。また、下顎への負担を軽減することにより、下顎の前方成長の阻害を抑制することができることを見いだした。
【０００９】
すなわち、本発明は、以下のとおりのものである。
［１］口腔内の上顎に固定される、インナーフックを具備する口腔内装着装置と、後頭部側及び顔面側からの押圧により顔面に固定される、アウターフックを具備するフェイスマスクと、インナーフック及びアウターフックに張設される上顎牽引弾性部材とを備えた上顎牽引装置本体と、
該上顎牽引装置本体のフェイスマスクを前方に牽引する上顎牽引補助装置と、
を備えたことを特徴とする上顎牽引装置。
［２］フェイスマスクの顔面を押圧する顔面押圧部の少なくとも１つが、下顎押圧部であることを特徴とする［１］記載の上顎牽引装置。
［３］フェイスマスクが、顔面押圧部を２以上有することを特徴とする［２］記載の上顎牽引装置。
［４］上顎牽引補助装置が、頭顔部を包囲する枠体と、該枠体及びフェイスマスクを後部で固定する固定部材と、前記枠体及びフェイスマスクに張設されるマスク牽引弾性部材とを備えたことを特徴とする［１］〜［３］のいずれか記載の上顎牽引装置。
［５］枠体が球状であることを特徴とする［４］記載の上顎牽引装置。
［６］マスク牽引弾性部材が、Ｘ状のバンドであることを特徴とする［４］又は［５］記載の上顎牽引装置。
［７］口腔内の上顎に固定される、インナーフックを具備する口腔内装着装置と、後頭部側及び顔面側からの押圧により顔面に固定される、アウターフックを具備するフェイスマスクと、インナーフック及びアウターフックに張設される上顎牽引弾性部材とを備えた上顎牽引装置本体におけるフェイスマスクを前方に牽引するための上顎牽引補助装置。
［８］頭顔部を包囲する枠体と、該枠体及びフェイスマスクを後部で固定する固定部材と、前記枠体及びフェイスマスクに張設されるマスク牽引弾性部材とを備えたことを特徴とする［７］記載の上顎牽引補助装置。
［９］枠体が球状であることを特徴とする［８］記載の上顎牽引補助装置。
［１０］マスク牽引弾性部材が、Ｘ状のバンドであることを特徴とする［８］又は［９］記載の上顎牽引補助装置。
【発明の効果】
【００１０】
本発明の上顎牽引装置によれば、下顎等の顔面を押圧する力を軽減することにより、顔面への負担が少なく、上顎のより効果的な牽引による短期間での治療が可能となり、また、下顎の前方成長の阻害を抑制することができる。さらに、上顎牽引補助装置として球状の枠体を用いることにより、寝返り等が可能で、睡眠を阻害することなく、睡眠中に上顎の牽引を行うことができる。また、上顎のより効果的な牽引が可能であることと相まって、睡眠中だけの処置でよく、普段の生活への支障なく治療を行うことができる。
【図面の簡単な説明】
【００１１】
【図１】本発明の一実施形態に係る上顎牽引装置装着時の概略平面図である。
【図２】本発明の一実施形態に係る上顎牽引装置装着時の概略側面図である。
【図３】本発明の一実施形態に係るフェイスマスク装着時の概略側面図である。
【図４】本発明の一実施形態に係る口腔内装着装置の装着装置本体の説明図である。
【図５】本発明の一実施形態に係る口腔内装着装置のインナーフックの説明図である。
【図６】本発明の一実施形態に係る口腔内装着装置の装着時の概略側面図である。
【図７】本発明の一実施形態に係るフェイスマスクの説明図である。
【図８】本発明の一実施形態に係るフェイスマスクの説明図である。
【図９】本発明の一実施形態に係るフェイスマスクの説明図である。
【図１０】本発明の一実施形態に係る上顎牽引弾性部材の説明図である。
【図１１】本発明の一実施形態に係る上顎牽引補助装置の概略側面図である。
【図１２】本発明の一実施形態に係る上顎牽引補助装置を上顎牽引装置本体に固定した時の概略側面図である。
【図１３】本発明の一実施形態に係る上顎牽引補助装置のマスク牽引弾性部材でフェイスマスクを牽引した時の概略側面図である。
【発明を実施するための形態】
【００１２】
本発明の上顎牽引装置は、上顎牽引装置本体と、上顎牽引装置本体のフェイスマスクを前方に牽引する上顎牽引補助装置とを備えている。
【００１３】
なお、本明細書中において、前方向とはヒトの目線方向を意味し、後方向とはその逆方向を意味する。また、右方向とは右耳の方向を意味し、左方向とは左耳の方向を意味する。
【００１４】
＜上顎牽引装置本体＞
上顎牽引装置本体は、口腔内の上顎に固定される、インナーフックを具備する口腔内装着装置と、後頭部側及び顔面側からの押圧により顔面に固定される、アウターフックを具備するフェイスマスクと、インナーフック及びアウターフックに張設される上顎牽引弾性部材とを備えている。
【００１５】
（口腔内装着装置）
本発明の口腔内装着装置は、口内の上顎に固定される装着装置本体と、装着装置本体に取り付けられるインナーフックを備えている。
装着装置本体は、従来技術のものを使用することができ、例えば、可撤式の床矯正装置、固定式のリンガルアーチ、ポーター型拡大装置などを挙げることができる。これらの口腔内装着装置は、上顎を前方に牽引すると共に、必要に応じて歯列及び/又は上顎を拡げることができる。また、装着装置本体は、インナーフックを固定する固定部を備えている。
【００１６】
インナーフックは、その一端が口内の装着装置本体に固定され、他端が口外に配置される。インナーフックの他端の先端には、上顎牽引弾性部材を掛止する鉤状部等が設けられている。本発明のインナーフックは、一般的には、インナーボウやホリゾンタルボーと呼ばれるものである。なお、装着装置本体とインナーフックは、上記のように別体で構成されたものであってもよいが、一体に構成されていてもよい。
【００１７】
（フェイスマスク）
本発明の上顎牽引装置本体のフェイスマスクは、後頭部側及び顔面側からの押圧により顔面に固定される。フェイスマスクは、顔面を押圧する顔面押圧部が１つであってもよいが、安定性の点から２以上有することが好ましい。かかる顔面押圧部の少なくとも１つは、下顎押圧部であることが好ましく、額部押圧部との組み合わせが特に好ましい。
【００１８】
下顎や額部を押圧する押圧部は、例えば、顔面側に緩衝材が配置され、その外側を硬質な合成樹脂で覆ったパットやカップで構成される。パッドは、平板状でもよいが、安定性の点から、額や下顎の湾曲に合わせた形状とすることが好ましい。パッドやカップにおける緩衝材としては、ゴム、ウレタン等のクッション性の高い素材が挙げられる。硬質な合成樹脂としては、例えば、ポリプロピレン樹脂が挙げられる。
【００１９】
額部及び下顎部に押圧部が設けられる場合、両者は、左右それぞれに延設したフレームにより連結されており、さらにヘッドバンドにより、顔面に固定される。ヘッドバンドは、安定性の点から、少なくとも後頭部に巻回されることが好ましい。ヘッドバンドの素材としては、ゴム等の弾性を有する素材などを挙げることができる。ヘッドバンドは、フェイスマスク本体と別体であってもよいし、一体であってもよい。
【００２０】
また、フェイスマスクは、アウターフックを具備している。アウターフックは、フェイスマスクを装着した際、インナーフックとほぼ同じ高さとなると共に、インナーフックより前方に配置され、その先端には、上顎牽引弾性部材を掛止する鉤状部等が設けられている。インナーフック及びアウターフックに上顎牽引弾性部材が張設されるが、アウターフックの位置を前後に調整することにより、上顎の牽引力を調整することができる。
【００２１】
（上顎牽引弾性部材）
本発明の上顎牽引弾性部材は、口腔内装着装置のインナーフック、及びフェイスマスクのアウターフックに張設される。これにより、口腔内装着装置を前方に牽引し、上顎を矯正する。上顎牽引弾性部材としては、高分子材料からなる医療用ゴム、弾性を有するワイヤー等を挙げることができる。
【００２２】
＜上顎牽引補助装置＞
上顎牽引補助装置は、上顎牽引装置本体のフェイスマスクを前方に牽引する装置であり、フェイスマスクによる顔面への押圧を軽減し、より効果的な上顎の牽引による短期間での治療を可能とする。また、下顎が固定源（押圧部）となっている場合には、下顎の前方成長の阻害を抑制することができる。なお、フェイスマスクを前方に牽引するとは、前方上方や前方下方に牽引する場合も含まれる。
【００２３】
上顎牽引補助装置は、例えば、頭顔部を包囲する枠体と、該枠体及びフェイスマスクを後部で固定する固定部材と、枠体及びフェイスマスクに張設されるマスク牽引弾性部材とを備えている。
【００２４】
（枠体）
枠体は、球状であることが好ましい。本発明の上顎牽引装置は、主として、睡眠時等に、仰向けの状態で使用されるものであるが、球状であることにより、寝返りを容易に行うことが可能となり、睡眠時の障害を抑制することができる。したがって、枠体が球状であるとは、厳密な球を意味するのではなく、寝返りができる程度の球状に近い多角体も含む。また、枠体は、頭を挿入する開口を有しているので、球状の枠体は、完全な球ではなく、一部が欠けた形状となる。
【００２５】
本発明の球状の枠体を備えた補助装置を用いることにより、上記のように、寝返り等が可能で、睡眠を阻害することなく、睡眠中に上顎の牽引を行うことができる。また、より効果的な上顎の牽引が可能であることと相まって、睡眠中だけの処置でよく、普段の生活への支障なく治療を行うことができる。
【００２６】
また、枠体の後部には、ヘッドパッドが設けられていることが好ましい。このヘッドパッドは、クッション性の高い部材、例えば、ウレタン、スポンジ等で形成され、装着し仰向けになった時に後頭部を保護するものである。これにより、仰向けの状態でより快適に処置を行うことができる。なお、ヘッドパッドは、枠体に固定されたものであってもよいし、取付け可能なものであってもよい。
【００２７】
（固定部材）
枠体及びフェイスマスクを後部で固定する固定部材としては、枠体及びフェイスマスクを確実に固定できるものであれば特に制限されるものではなく、紐等を挙げることができる。
【００２８】
（マスク牽引弾性部材）
マスク牽引弾性部材は、一端がフェイスマスクのフレーム等に取り付けられ、他端が枠体に取り付けられる。フェイスマスクへの取付け位置としては、顔面の下半部のいずれかの位置（目より下の位置）であることが好ましい。例えば、フェイスマスクの取付け位置の前方に枠体の前方端部を配置させ、フェイスマスクからマスク牽引弾性部材を前方に牽引し、枠体端部で上方に折り曲げ、枠体の前方上部に取り付けることにより、フェイスマスクは、前方にまっすぐ牽引されることになる。このマスク牽引弾性部材は、高分子材料等からなる弾性部材であり、その形状としてはＸ状のバンドであることが好ましい。かかるＸ状のバンドは、例えば、輪状に形成された弾性体を四方より中央に向けて絞り中央で固定することでＸ状とし、形成された４つの先端にフックを設けることにより構成することができる。マスク牽引弾性部材がＸ状のバンドである場合には、フェイスマスクの左右のフレーム等に２つの先端を接続し、残りの２つの先端を枠体の前方上部に左右所定間隔をあけて接続する。これにより、より安定的に固定することができる。
【００２９】
以下、図面を参照しつつ、本発明をより具体的に説明するが、本発明はこれらの構成に限定されるものではない。
【００３０】
ここで、図１は、本発明の一実施形態に係る上顎牽引装置装着時の概略平面図であり、図２は、本発明の一実施形態に係る上顎牽引装置装着時の概略側面図である。図３は、本発明の一実施形態に係るフェイスマスク装着時の概略側面図であり、図４は、本発明の一実施形態に係る口腔内装着装置の装着装置本体の説明図であり、図５は、本発明の一実施形態に係る口腔内装着装置のインナーフックの説明図であり、図６は、本発明の一実施形態に係る口腔内装着装置の装着時の概略側面図である。図７〜図９は、本発明の一実施形態に係るフェイスマスクの説明図である。図１０は、本発明の一実施形態に係る上顎牽引弾性部材の説明図であり、図１１は、本発明の一実施形態に係る上顎牽引補助装置の概略側面図であり、図１２は、本発明の一実施形態に係る上顎牽引補助装置を上顎牽引装置本体に固定した時の概略側面図であり、図１３は、本発明の一実施形態に係る上顎牽引補助装置のマスク牽引弾性部材でフェイスマスクを牽引した時の概略側面図である。
【００３１】
図１及び図２に示すように、本発明の一実施形態に係る上顎牽引装置１０は、上顎牽引装置本体２０と、上顎牽引補助装置３０とを備えている。図２に示すように、上顎牽引装置１０は、ヒトが仰向けになった状態で使用される。すなわち、睡眠時に処置することが可能であり、上顎牽引補助装置（枠体）３０の形状が球状であることから、寝返りも可能である。
【００３２】
＜上顎牽引装置本体＞
図３に示すように、上顎牽引装置本体２０は、口腔内装着装置４０と、フェイスマスク５０と、上顎牽引弾性部材６０とを備えている。
【００３３】
（口腔内装着装置）
図４及び図５に示すように、口腔内装着装置４０は、装着装置本体４１（図４）とインナーフック４２（図５）とを備えている。
【００３４】
図４に示すように、装着装置本体４１は、カバープレート（マウスピース）４３と、拡大ネジ４４と、インナーフック固定部４５とを備えている。カバープレート４３は、４枚のプレートが連結して一体をなし、ヒトの口内の上顎を覆うように形成される。拡大ネジ４４は、カバープレート４３の中央に各プレートを連結するように設けられ、上顎の拡大に伴い、各プレート間に隙間を形成し、カバープレート４３を拡張する。また、インナーフック固定部４５は、臼歯の外側近傍に設けられている。
【００３５】
図５に示すように、インナーフック４２は、平面視してＵ字状部材を備え、Ｕ字状部材の角部２箇所から垂直上方向に鉤状フック４２Ｌ、４２Ｒが延設されている。また、Ｕ字状部材の脚部２箇所には、接続フック４２Ｌ１、４２Ｒ１が設けられ、装着装置本体４１のインナーフック固定部４５に取り付けられる。図６に示すように、使用時には、装着装置本体４１は口内に配置されると共に、鉤状フック４２Ｌ、４２Ｒは、口外の唇の前方直近に配置される。
【００３６】
（フェイスマスク）
図７及び図８に示すように、フェイスマスク５０は、額パッド５１と、顎カップ５２と、アウターフック５３と、この額パッド５１及び顎カップ５２の左右両端に接続されたフレーム５４（５４Ｌ、５４Ｒ）とを備えている。
【００３７】
額パッド５１は、ヒトの額側に緩衝材を備え、外側には硬質な合成樹脂カバーが設けられている。額パッド５１から左右に延びるフレーム５４Ｌ、５４Ｒは、頭部に沿って左右後方に向けて延伸し、こめかみ近傍にて下方向に湾曲し、頬骨近傍にて顔面の中央に湾曲し、頬部近傍で下方向に延設されている。
【００３８】
一方、このフレーム５４Ｌ、５４Ｒ間に設けられる顎カップ５２は、ヒトの顎部側に緩衝材を備え、これらを覆うように外側には硬質な合成樹脂カバーが設けられている。
【００３９】
アウターフック５３は、Ｕ字状部材を備え、Ｕ字状部材の基底部を前方向に向けてフレーム５４Ｌ、５４Ｒに固定されている。さらに、Ｕ字状部材の基底部には、垂直上方向に延設された鉤状フック５３Ｌ、５３Ｒを有する。この鉤状フック５３Ｌ、５３Ｒに上顎牽引弾性部材６０の一端が張設され上顎を牽引するが、アウターフック５３を前後方向に調整することにより、その牽引力を調整することができる。
【００４０】
図９に示すように、フェイスマスク５０は、さらにヘッドバンド５５を備えており、かかるヘッドバンド５５は、頭部において後頭部を通り巻きつけるバンド５５Ｂと前頭部上方を通り巻きつけるバンド５５Ｆとを備え、額パッド５１の両側に位置するフレーム５４Ｌ、５４Ｒの上部で緊締される。ヘッドバンド５５により、装着時にフェイスマスク５０の額パッド５１と顎カップ５２が顔面に当接した状態で、顔表面を囲うように安定して支持・固定される。
【００４１】
図１０に示すように、口腔内装着装置４０のインナーフック４２の鉤状フックと、フェイスマスク５０のアフターフック５３の鉤状フックとの間には、上顎牽引弾性部材６０が張設される。これにより、口腔内装着装置４０が前方へ牽引され、上顎全体が前方に牽引されることになる。この際、上顎を牽引する前方へ力の反作用として、額パッド５１及び顎カップ５２に後方への力がかかることになる。つまり、本実施形態の場合、額パッド５１及び顎カップ５２が押圧部となる。
【００４２】
（上顎牽引補助装置）
図１１に示すように、上顎牽引補助装置３０は、枠体３１を備えている。枠体３１は、ヒトの頭部が挿入可能な開口３２を有し、湾曲した棒状部材を組み合わせて球状に形成される。枠体３１の後部には、ヘッドパッド３３が設けられている。図１２に示すように、この枠体３１は、フェイスマスク５０のヘッドバンド５５と後部で固定紐３４によって固定される。
【００４３】
図１３に示すように、上顎牽引補助装置３０は、枠体３１及びフェイスマスク５０に張設されるマスク牽引弾性部材３５を備えている。図１に示すように、マスク牽引弾性部材３５は、Ｘ状のバンドであり、４つの先端にフックが設けられている。
【００４４】
このＸバンド３５により、枠体３１とフェイスマスク５０を連結し、フェイスマスク５０による顔面への押圧を抑制する。まず、フェイスマスク５０の左右のフレーム５４の口元近くにＸバンド３５の２つの先端を接続する。残りの２つの先端を枠体３１の前方上部に左右所定間隔をあけて接続するが、このとき、このフェイスマスク５０への取付け位置の前方に枠体３１の前方端部を配置させておくことにより（図１３参照）、フェイスマスク５０からＸバンド３５を前方に牽引することが可能となる。すなわち、フェイスマスク５０の取付け位置からまっすぐ前方にＸバンド３５を伸ばし、その位置に枠体３１端部が存在するので、その端部で上方に折り曲げ、枠体３１の前方上部に取り付けることにより、フェイスマスク５０は、前方にまっすぐ牽引されることになる。
【００４５】
次に、本発明の一実施形態における上顎牽引装置１０の装着方法及び使用方法について説明する。
【００４６】
まず、図４に示すように、口腔内に、装着装置本体４１を装着し、その後、図５及び図６に示すように、インナーフック４２を取り付ける。続いて、図７〜図９に示すように、フェイスマスク５０を装着し、ヘッドバンド５５で固定する。続いて、図１０に示すように、口腔内装着装置４０のインナーフック４２と、フェイスマスク５０のアウターフック５３を上顎牽引弾性部材６０で連結し、上顎の牽引を可能とする。ここまでの操作は、基本的に従来の上顎牽引装置と同様である。
【００４７】
続いて、図１１に示すように、上顎牽引補助装置３０の枠体３１の開口３２に頭を入れる。次に、図１２に示すように、固定紐３４を用いて、枠体３１の後部及びヘッドバンド５５の後部を縛り、上顎牽引装置本体２０と上顎牽引補助装置３０を固定する。最後に、図１３に示すように、Ｘバンド３５をフェイスマスク５０の口元近傍の左右フレーム５４Ｌ、５４Ｒに各々係合し、その位置からまっすぐ前方にＸバンド３５を伸ばし、その位置に枠体３１端部が存在するので、その端部で上方に折り曲げ、枠体３１の前方上部に取り付ける。
【００４８】
このように、上顎牽引装置本体２０を前方に牽引することにより、フェイスマスク５０の額パッド５１と顎カップ５２による顔面への力を軽減することができる。特に、Ｘバンド３５をフェイスマスク５０の顔面下半分の領域に接続していることから、顎カップ５２による下顎部への力がより軽減される。したがって、下顎への負担を軽減させて、下顎の成長阻害を抑制することができる。
【実施例】
【００４９】
（不正咬合矯正治療）
本発明の一実施形態である上顎牽引装置１０を用いて、不正咬合矯正治療を行った。本発明の補助装置を用いた上顎牽引装置１０による治療では、睡眠時のみ、２〜４か月継続して行うことにより、従来の装置では効果のないような症状に対しても効果がみられた。また、経験的に通常は６〜１２か月程度かかると思われる治療が、２〜４か月といった短期間で行うことが可能となった。
【産業上の利用可能性】
【００５０】
本発明の上顎牽引装置は、不正咬合矯正治療に用いることができ、産業上有用である。
【符号の説明】
【００５１】
１０    上顎牽引装置
２０    上顎牽引装置本体
３０    上顎牽引補助装置
３１    枠体
３２    開口
３３    ヘッドパッド
３４    固定紐
３５    マスク牽引弾性部材（Ｘバンド）
４０    口腔内装着装置
４１    装着装置本体
４２    インナーフック
４２Ｌ、Ｒ  鉤状フック
４２Ｌ１、Ｒ１  接続フック
４３    カバープレート（マウスピース）
４４    拡大ネジ
４５    インナーフック固定部
５０    フェイスマスク
５１    額パッド
５２    顎カップ
５３    アウターフック
５３Ｌ、Ｒ  鉤状フック
５４    フレーム
５５    ヘッドバンド
６０    上顎牽引弾性部材
【図１】
2018143445.tif 000003
【図２】
2018143445.tif 000004
【図３】
2018143445.tif 000005
【図４】
2018143445.tif 000006
【図５】
2018143445.tif 000007
【図６】
2018143445.tif 000008
【図７】
2018143445.tif 000009
【図８】
2018143445.tif 000010
【図９】
2018143445.tif 000011
【図１０】
2018143445.tif 000012
【図１１】
2018143445.tif 000013
【図１２】
2018143445.tif 000014
【図１３】
2018143445.tif 000015